(57)【要約】      （修正有）【課題】極めてシンプルな構造のもと付箋紙束等の紙葉束を確実に保持でき、またメモ書き時には手軽にその動作が行え、更には付箋紙を剥がす際には自然に、糊付け部の短手方向から徐々に剥がして行くめくり方となるようにした新規な付箋紙束等の使用補助具を提供する。【解決手段】付箋紙束等の使用補助具１は、オモテ表紙板２１とウラ表紙板２３とが直接または間接的に連続するように接続され、ウラ表紙板２３に対しオモテ表紙板２１が折り曲げ自在に構成されるカバー台紙２と、ウラ表紙板２３の外側に、リング状の把持部３１を突き出し状に設けた伸縮保持体３とを具え、オモテ表紙板２１を、ウラ表紙板２３の上方に重ね合わせるように折り重ねた状態において、ウラ表紙板２３とオモテ表紙板２１との間に、付箋紙束やメモ束等の紙葉束Ｐが保持される構成であることを特徴とする。【選択図】図１
2019130769.tif 000002
【特許請求の範囲】
【請求項１】
オモテ表紙板とウラ表紙板とが直接または間接的に連続するように接続され、ウラ表紙板に対しオモテ表紙板が折り曲げ自在に構成されるカバー台紙と、
ウラ表紙板の外側に、リング状の把持部を突き出し状に設けた伸縮保持体とを具え、
オモテ表紙板を、ウラ表紙板の上方に重ね合わせるように折り重ねた状態において、ウラ表紙板とオモテ表紙板との間に、付箋紙束やメモ束等の紙葉束が保持される構成であることを特徴とする、付箋紙束等の使用補助具。
【請求項２】
前記ウラ表紙板は、接続状態でオモテ表紙板に対向する側に、内折板が更に連続するように接続され、
これらの折り込みにあたっては、まず内折板をウラ表紙板の上側に重ね合わせるように折り重ねた後、次いでオモテ表紙板を、当該内折板の上側に重ね合わせるように折り重ねた状態において、内折板とオモテ表紙板との間に、付箋紙束やメモ束等の紙葉束が保持される構成であることを特徴とする請求項１記載の、付箋紙束等の使用補助具。
【請求項３】
前記ウラ表紙板は、接続状態でオモテ表紙板の接続方向に対し交差する左右方向に、折込翼板が接続され、
この折込翼板は、紙葉束の下側に折り込まれる構成であることを特徴とする請求項１または２記載の、付箋紙束等の使用補助具。
【請求項４】
前記オモテ表紙板とウラ表紙板との間には、紙葉束の厚み寸法に相当する背表紙板が設けられ、オモテ表紙板と背表紙板とウラ表紙板とが直列状に接続されて成ることを特徴とする請求項１から３のいずれか１項記載の、付箋紙束等の使用補助具。
【発明の詳細な説明】
【技術分野】
【０００１】
本発明は、例えば付箋紙やメモ束のように積層状態で市販されることが多い紙葉束を確実に保持することができ、しかもシンプルな構造のもとに低コストで製作できるようにした新規な使用補助具に関するものである。
【背景技術】
【０００２】
従来より、メモ用紙あるいは各種のインデックス用紙として付箋紙が利用されている。この付箋紙は、紙葉裏側の一端縁に非転移性の粘着層（糊付け部）が形成され、この粘着層を利用して多数枚を重ねた積層状態で市販されることが多い。また、この非転移性の粘着層によって貼り付けと剥がしとが繰り返し行える構成となっている。ただし、このような貼り付けと剥がしを何回も行っていると、その使用や時間の経過等に伴い、粘着層の性能が劣化してしまい、一旦、貼付対象に貼った付箋紙が剥がれてしまったり、各付箋紙がバラバラになることがあった。
このようなことから、この種の付箋紙束の収容具等に関しては、各付箋紙がバラバラにならないように保持するケースや、付箋紙束を手軽に持ち運びできるようにしたケース、あるいはボックスティッシュのように一枚ずつ確実に取り出すことができるようにしたポップアップタイプのケース等の開発が既に提案されている（例えば特許文献１、２参照）。
【０００３】
しかしながら、このようなケースを例えば合成樹脂素材で形成した場合には、ケース自体の耐久性は確保でき、付箋紙束の保持も確実に行えるものの、製造コストとしては上昇することは免れなかった。また、ケースを紙素材で形成する場合でも複雑な折り込み等が必要となることが多く、製造（製作）にコストと手間が掛かるものが多かった。
【０００４】
加えて、付箋紙のめくり取り方（付箋紙の取り扱い）に関する不具合について付言すると、この種の付箋紙は、一枚ずつ剥がし取る際に（めくり取る際に）、その操作方向によっては糊付け部が、大きくカールする傾向を生じ、このことが貼付状態を不安定にするという問題もある。
具体的には、例えば図３（ｂ）に示すように、糊付け部Ｐｎの長手方向に対し直角にめくり上げるようにすると（後述する「糊付け部の長手方向から一挙に剥がして行くめくり方」）、剥がした付箋紙Ｐ１は、長手方向を軸に全体的にカールするようになり、これを貼付対象に貼り付けた場合、糊付け部Ｐｎ（特に端部）が浮き上がる状態を呈し、安定した貼付状態が得にくくなる。
【０００５】
一方、例えば図３（ａ）に示すように、糊付け部Ｐｎの長手方向に沿うようにめくり上げると（後述する「糊付け部の短手方向から徐々に剥がして行くめくり方」）、剥がした付箋紙Ｐ１は、糊付け部Ｐｎのカール現象（傾向）が少なくなり、部分的なカールで済む。そのため、これを貼付対象に貼り付けた場合には、安定した貼付状態が得られる。
このようなことを考慮すると、付箋紙束Ｐから一枚ずつ付箋紙Ｐ１を剥がすにあたって、自然に、糊付け部Ｐｎの短手方向から徐々に剥がして行くめくり方となるような（なり易いような）手法の開発が望まれるが、現在のところ、このようなケースは存在しない。
【先行技術文献】
【特許文献】
【０００６】
【特許文献１】特開２０１７−１３７１２３号公報
【特許文献２】特開平８−１９２８７６号公報
【発明の概要】
【発明が解決しようとする課題】
【０００７】
本発明は、このような背景を認識してなされたものであって、極めてシンプルな構造のもと付箋紙束やメモ束等の紙葉束を確実に保持した状態で運搬・収容できるようにしながら、メモ書き時には手軽にその動作が行え、更には付箋紙を剥がすにあたっては自然に、糊付け部の短手方向から徐々に剥がして行くめくり方となり、なお且つ低コストで製作できるようにした新規な付箋紙束等の使用補助具の開発を試みたものである。
【課題を解決するための手段】
【０００８】
すなわち請求項１記載の、付箋紙束等の使用補助具は、
オモテ表紙板とウラ表紙板とが直接または間接的に連続するように接続され、ウラ表紙板に対しオモテ表紙板が折り曲げ自在に構成されるカバー台紙と、
ウラ表紙板の外側に、リング状の把持部を突き出し状に設けた伸縮保持体とを具え、
オモテ表紙板を、ウラ表紙板の上方に重ね合わせるように折り重ねた状態において、ウラ表紙板とオモテ表紙板との間に、付箋紙束やメモ束等の紙葉束が保持される構成であることを特徴として成るものである。
ここでウラ表紙板の外側について説明すると、オモテ表紙板とウラ表紙板との折り曲げ方向を内側とし、その反対側が外側（ウラ表紙板の外側）である。
【０００９】
また請求項２記載の、付箋紙束等の使用補助具は、前記請求項１記載の要件に加え、
前記ウラ表紙板は、接続状態でオモテ表紙板に対向する側に、内折板が更に連続するように接続され、
これらの折り込みにあたっては、まず内折板をウラ表紙板の上側に重ね合わせるように折り重ねた後、次いでオモテ表紙板を、当該内折板の上側に重ね合わせるように折り重ねた状態において、内折板とオモテ表紙板との間に、付箋紙束やメモ束等の紙葉束が保持される構成であることを特徴として成るものである。
【００１０】
また請求項３記載の、付箋紙束等の使用補助具は、前記請求項１または２記載の要件に加え、
前記ウラ表紙板は、接続状態でオモテ表紙板の接続方向に対し交差する左右方向に、折込翼板が接続され、
この折込翼板は、紙葉束の下側に折り込まれる構成であることを特徴として成るものである。
【００１１】
また請求項４記載の、付箋紙束等の使用補助具は、前記請求項１から３のいずれか１項記載の要件に加え、
前記オモテ表紙板とウラ表紙板との間には、紙葉束の厚み寸法に相当する背表紙板が設けられ、オモテ表紙板と背表紙板とウラ表紙板とが直列状に接続されて成ることを特徴として成るものである。
ここで、請求項１に記載した「オモテ表紙板とウラ表紙板とが間接的に連続する」とは、上記背表紙板を介在させた場合を指すものである。
【発明の効果】
【００１２】
これら各請求項記載の発明の構成を手段として前記課題の解決が図られる。
すなわち、請求項１記載の発明によれば、付箋紙束をオモテ表紙板とウラ表紙板とを具えるカバー台紙の間に挟んで保持する構造であるため、使用補助具の構造が極めてシンプルであり、使用補助具を低コストで製作することができる。
またウラ表紙板には伸縮保持体が設けられるため、使用者がポケットや鞄に入れて運搬・収容する際には、この伸縮保持体を、付箋紙束を挟持したカバー台紙に掛け止めすることで、この保持状態を確実に維持することができ、付箋紙の記載面を汚すこともないし（付箋紙が露出してしまうこともなく）、付箋紙がバラバラになることも防止できる。
更にまた、メモ書き時には、カバー台紙に掛け止められていた伸縮保持体を外して把持部を形成し、ここに使用者が筆記具を持たない方の手（指）を入れた状態とすることで、カバー台紙（使用補助具）の手元保持が確実となり、メモ書きし易い状態が得られる。つまり、伸縮保持体は、メモ書き時でも、運搬・収容時である非使用時でも機能し、合理的な構造が採り得る。
更にまた、伸縮保持体が設けられるため、付箋紙を一枚ずつ剥がすにあたっては自然に、糊付け部の短手方向から徐々に剥がして行くめくり方となる（なり易い）。このため剥がした付箋紙を貼付対象に貼り付けた場合、良好な貼付状態が得られる。
【００１３】
また、請求項２記載の発明によれば、ウラ表紙板の外側に伸縮保持体を設けるにあたり、ウラ表紙板に二箇所の通孔を形成し、ここに伸縮保持体の端部を通した後、この端部に結び目を形成して伸縮保持体を止めるようにした場合、内折板を設けることで、この結び目の凹凸を抑えることができ（結び目の上に平面を形成することができ）、メモ書きし易い下地を形成することができる。
また、内折板を設けることで、付箋紙束は、一枚のオモテ表紙板と二枚の板材（ウラ表紙板と内折板）で挟持されることになり、カバー台紙全体の剛性向上や強度アップが図れる。
【００１４】
また、請求項３記載の発明によれば、ウラ表紙板の外側に伸縮保持体を設けるにあたり、ウラ表紙板に二箇所の通孔を形成し、ここに伸縮保持体の端部を通した後、この端部に結び目を形成して伸縮保持体を止めるようにした場合、折込翼板をこの結び目に掛からないように折り込むことで、この結び目による凹凸（高低差）を一層抑えることができ、メモ書きし易い下地を、より形成することができる。
【００１５】
また、請求項４記載の発明によれば、紙葉束の厚み分に相当する背表紙板を更に設けるため、紙葉束（厚みを考慮すべき紙葉束）の厚みを確実に保護でき、紙葉束を立体的に保持することができる。
ここで上記「厚みを考慮すべき」について説明する。まず、厚みを考慮しなくてもよい場合とは、紙葉が数枚程度（例えば二、三枚程度）で、背表紙板を設けなくても、充分、紙葉（紙葉束）の保護ができるものを指し、言わば平面的保持で支障がない場合が該当する。これに対し、厚みを考慮すべき場合とは、一般に市販されている付箋紙束（紙葉束）のように、充分な厚みがあり、背表紙板を設けて立体的に保持するのが好ましい場合（立体的保持が好ましい場合）が該当する。
【図面の簡単な説明】
【００１６】
【図１】本発明の使用補助具（付箋紙束等の使用補助具）において、付箋紙束のメモ書き時の状態と運搬・収容状態とを併せて示す斜視図である。
【図２】一枚の板材から形成した使用補助具の平面展開形状（折り込み前の初期状態）の一例を示す斜視図（ａ）、並びにこの展開形状の各部を折り畳んで立体的な使用補助具を形成して行く様子を段階的に示す斜視図（ｂ）〜（ｅ）である。
【図３】付箋紙をめくり取る際の二種の手法について示す説明図である。
【図４】内折板や折込翼板を省略した使用補助具の改変例を示す斜視図である。
【図５】カバー台紙に保持される付箋紙束の改変例を種々示す斜視図である。
【図６】ウラ表紙板の外側に突き出し状に設けられる伸縮保持体の改変例を二種示す説明図である。
【発明を実施するための形態】
【００１７】
本発明を実施するための最良の形態は、以下の実施例に述べるものをその一つとするとともに、更にその技術思想内において改良し得る種々の手法をも含むものである。
【実施例】
【００１８】
まず、本発明の、付箋紙束等の使用補助具１（以下、単に使用補助具１とする）の説明に先立ち、複数枚の付箋紙Ｐ１が積層状態に設けられた付箋紙束Ｐから説明する。
付箋紙束Ｐは、一例として図１に示すように、使用補助具１によって保持・保護されるものであるが、保持対象物（収容対象物）としてはこれ以外にも積層状態に形成された束状のメモ（これをメモ束と称する）も想定される。このように、本発明の保持対象物としては、付箋紙束Ｐの他、メモ束も想定できるため、一枚ずつの付箋紙Ｐ１やメモ用紙を総じてを紙葉とし、また積層状態の付箋紙束Ｐやメモ束を総じて紙葉束と称することがある。なお符号は、紙葉には付箋紙と同じ符号Ｐ１を付し、紙葉束には付箋紙束と同じ符号Ｐを共通的に付すものである。
【００１９】
そして、一枚ずつの付箋紙（紙葉）Ｐ１は、矩形状すなわち長方形状または正方形状の紙片として形成されることが多い。
また付箋紙Ｐ１の上面は、メモ書き等に適した記載面Ｐｍとして構成され、その裏面の一端縁に非転移性の粘着層たる糊付け部Ｐｎが形成される。このように糊付け部Ｐｎは、記載面Ｐｍの裏面全体に形成されるものではなく、通常は、一端に寄った縁部（端縁部）に形成され、糊付け部Ｐｎの形成形状は、長方形状に形成されることが多い。
また、付箋紙Ｐ１は、このような糊付け部Ｐｎによって、複数枚が重ねられた積層状態（付箋紙束Ｐ）となって市販されるのが一般的である。なお、本実施例では、積層された付箋紙束Ｐで視た場合、糊付け部Ｐｎが一方の端縁（後述する背表紙板２２の近傍）に寄って形成された構造のものを例示する（いわゆる非ポップアップ式）。
【００２０】
また、糊付け部Ｐｎが非転移性の粘着層であるために、紙葉束Ｐから一枚ずつめくり取った紙葉Ｐ１は、書物等への貼り付けと剥がしが繰り返し行える構造となっている。
更に、このような紙葉束Ｐは、使用者Ｍ自身が新たな紙葉束Ｐに入れ換えたり、補充したりすることができるものである。
因みに、付箋紙（紙葉）Ｐ１には、「紙」という語句を使用したが、これは必ずしも素材として紙製のものに限定されるという意味ではなく、例えば合成樹脂素材等で付箋紙（紙葉）Ｐ１を形成することも可能であり、このような紙以外の素材で形成された場合も付箋紙（紙葉）Ｐ１と称する（付箋紙（紙葉）Ｐ１に含まれる）。
【００２１】
次に、使用補助具１について説明する。
使用補助具１は、一例として図１・図２（ａ）に示すように、オモテ表紙板２１と、背表紙板２２と、ウラ表紙板２３とを直列状に接続して成るカバー台紙２を主要部材とする。
このカバー台紙２は、オモテ表紙板２１がウラ表紙板２３に対し折り曲げ自在に構成され、付箋紙束Ｐを折り曲げたカバー台紙２の内側、すなわち折り畳み状態のオモテ表紙板２１とウラ表紙板２３との間に収容して、保持するように構成される。
ここでオモテ表紙板２１とウラ表紙板２３は、この間に挟持する付箋紙Ｐ１よりも一回り大きいサイズに形成されることが好ましく、これにより挟持状態での付箋紙Ｐ１の保護が確実に行え、付箋紙Ｐ１への損傷を確実に防ぐことができる。
また、背表紙板２２は、オモテ表紙板２１をウラ表紙板２３に重ねるように折り畳んだ際に、付箋紙束Ｐの厚み部分を保護するものであり、このため背表紙板２２は、付箋紙束Ｐの厚み寸法に対応した幅寸法に形成される。
なお、カバー台紙２や、これを構成する板材（各表紙板）にも、「紙」という語句を使用したが、ここでも例えば合成樹脂素材等でカバー台紙２を形成することが可能であり、このような紙以外の素材で形成された場合もカバー台紙２や表紙板に含まれる。もちろん、カバー台紙２は、紙素材から成る板材の表面に、適宜合成樹脂素フィルム等を貼り合わせて形成しても構わないものである（いわゆるラミネート加工）。
【００２２】
また、本実施例では、一例として図２（ａ）に示すように、カバー台紙２の各部位を折り込む前の平面展開形状（始発状態）で、ウラ表紙板２３の延長方向に（背表紙板２２の対向側に）内折板２４が更に接続される。すなわちウラ表紙板２３には、オモテ表紙板２１の対向側に、更に内折板２４が連続するように接続される。そして、この内折板２４に付箋紙束（紙葉束）Ｐが糊付け部Ｐｎの粘着層を利用して取り付けられる。なお、付箋紙束Ｐは、内折板２４の折り込み方向の反対側から取り付けられる。
また、内折板２４は、付箋紙束Ｐの平面投影形状とほぼ同じ大きさ、または付箋紙束Ｐの平面投影形状よりも幾らか大きく形成される（ここではオモテ表紙板２１やウラ表紙板２３よりも小さく形成される）。また、各部位の折り込み線は、当然ながら内折板２４に取り付けた付箋紙束Ｐに掛からないように構成され、これにより付箋紙束Ｐの安定的な保持を可能としている。
【００２３】
また、ウラ表紙板２３には、上記図２（ａ）に示すように、折り込み前の平面展開形状で、内折板２４や背表紙板２２の接続方向に対し交差（直交）する左右方向に、折込翼板２５が接続される。
これにより本実施例では、始発状態のカバー台紙２は、全体として「十字」状を成すような平面展開形状に形成される。
なお、図２（ａ）においてカバー台紙２の展開図中に引いた二点鎖線は、各部位の折り込み線を示している。
【００２４】
また、ウラ表紙板２３の外側（折り曲げ自在のカバー台紙２の外側）には、ゴム紐等の伸縮保持体３が突き出し状に設けられ、この伸縮保持体３は、ウラ表紙板２３の外側でリング状を成すように設けられる。
伸縮保持体３は、使用補助具１の非使用時（例えば運搬・収容時）には、このものの伸縮性を利用して輪ゴムのように伸縮保持体３をカバー台紙２に掛け止めして、オモテ表紙板２１の開放を防止する。
一方、使用時（メモ書き時）には、この状態の伸縮保持体３を指などで引っ張って伸長させて、カバー台紙２から外すものであり、外した伸縮保持体３は、ウラ表紙板２３の外側でリング状を成し、この内側に使用者Ｍが筆記具を持たない方の手を差し込むことで、カバー台紙２（使用補助具１）を安定して使用者Ｍの手元に保持することができる。ここで伸縮保持体３が、ウラ表紙板２３の外側においてリング状を成す突き出し状部位を把持部３１とする。
【００２５】
また、伸縮保持体３をウラ表紙板２３に固定するにあたっては、ここではウラ表紙板２３に伸縮保持体３を通す孔を二箇所開口しておき（これを通孔ｈとする）、ここに伸縮保持体３の両端部を外側から通した後、その端部を結んでウラ表紙板２３に固定する（図中符号ｋがこの結び目）。もちろん、このような固定手法に限定されるものではなく、例えばウラ表紙板２３の外側（裏面）に、伸縮保持体３の両端部を溶着や接着等によって固定することも可能であり（図４参照）、この場合には、ウラ表紙板２３に通孔ｈを形成する必要もない。
なお、図示した実施例では、伸縮保持体３は、細長い紐状の伸縮体（例えばゴム紐）として図示しているが、伸縮保持体３としては、断面が幾らか偏平状の伸縮部材である、いわゆるゴムバンド等を適用することもできる。
【００２６】
以下、上記のような平面展開形状を有するカバー台紙２の折り込み方について説明する。
なお、上述したように、付箋紙束Ｐは、この平面展開形状の状態で、カバー台紙２（内折板２４）に取り付けることが可能である。
折り込み方としては、まず図２の（ａ）から（ｂ）に示すように、折込翼板２５をカバー台紙２の内側、すなわち伸縮保持体３の結び目ｋ側（ウラ表紙板２３の通孔ｈを貫通した後、結ばれた結び目ｋ側）に折り込む。なお、折込翼板２５は、折り込み状態で結び目ｋに重ならないように、その大きさが予め設定される。このため、折込翼板２５は、図２（ｂ）に示すように、結び目ｋの左右両側に位置するように折り畳まれ、これによって結び目ｋにより生じる凹凸（高低差）が抑えられる。すなわち、折り込み状態の折込翼板２５の上方には、その後、内折板２４（紙葉束Ｐが設けられた）が重なるように折り込まれ、メモ書き時には、上記凹凸があるとメモ書きが行い難いため、このような結び目ｋによる凹凸（高低差）を、折込翼板２５を折り込むことで抑えるものである。
なお、通常は、折込翼板２５の板厚よりも、結び目ｋの突出度合いの方が大きいものである。また伸縮保持体３の端部に結び目ｋを形成する場合には、結びが解けないように結び目ｋから端部側に、伸縮保持体３を所要の長さ繰り出す必要がある。このように、通常は、折込翼板２５の板厚よりも、結び目ｋによって形成される突出の方が大きいが、結び目ｋの左右に折込翼板２５を位置させることで、少しでもメモ書き時の下地凹凸（高低差）を抑え、使用者Ｍの使い勝手（書き心地）を向上させるものである。
【００２７】
次いで、図２の（ｂ）から（ｃ）に示すように、付箋紙束Ｐを具えた内折板２４を、上記折込翼板２５の上側に重ねるように折り重ねる。これにより伸縮保持体３の結び目ｋの上に平滑面となる内折板２４が位置することになり、メモ書きする際の下地凹凸がより一層、整えられる。
このように内折板２４や折込翼板２５を設けることによって、メモ書きに適した平滑面がより形成し易くなり、メモ書き時のスムーズな記載を促進させ得るものである。もちろん、内折板２４は、カバー台紙２全体の剛性向上や強度アップに寄与するものである。
なお、本実施例では図２（ａ）の段階、すなわちカバー台紙２の各部位を折り込む前の始発状態で、付箋紙束Ｐを内折板２４に取り付けるように説明したが、この図２（ｃ）の段階で付箋紙束Ｐを取り付けることも可能である。また図２（ｃ）の段階で付箋紙束Ｐを取り付ける場合には、折り込んだ内折板２４の上面に、付箋紙束Ｐの糊付け部Ｐｎを合わせるように取り付けるものである。
【００２８】
その後、図２の（ｃ）から（ｄ）に示すように、オモテ表紙板２１を、上記付箋紙束Ｐの上側に重ねるように折り重ねる。
この図２（ｄ）の状態で、付箋紙束Ｐは、これよりも一回り大きいサイズのオモテ表紙板２１及びウラ表紙板２３（内折板２４）とに挟まれた状態となり、しかも付箋紙束Ｐの厚みは、ウラ表紙板２３に対して立ち上げ状に折り曲げられた背表紙板２２によって保護されるため、付箋紙束Ｐは結果的に書物のように立体的に保持された状態となる。また、このため当該状態では、付箋紙束Ｐ、特に最上面に位置する付箋紙Ｐ１（記載面Ｐｍ）の汚損が高レベルで防止される。
【００２９】
次いで、図２（ｅ）に示すように、ウラ表紙板２３の外側に突き出し状に設けられている伸縮保持体３（リング状の把持部３１）を、使用者Ｍが指などに引っ掛けて、付箋紙束Ｐを保持したカバー台紙２に掛け、伸縮保持体３で留めるようにする。なお、この動作は、輪ゴムで留めるときの動作に極めて酷似した動作となる。
また、この図２（ｅ）の状態は、例えば使用者Ｍが使用補助具１をポケットや鞄等に入れて運搬・収容するときの状態であり、この状態では、オモテ表紙板２１が不用意に開くことがなく、また各付箋紙Ｐ１が一枚ずつバラバラになることも確実に防止できる。
因みに、図２（ｅ）では、使用者Ｍが親指と小指以外の三本の指を使って、伸縮保持体３をカバー台紙２に掛け留めるように図示したが、指の数やどの指を利用するかは使用者Ｍによって異なるものである。また場合によっては、使用者Ｍが手にしている筆記具で、このような掛け留めを行うことも考えられる。
【００３０】
本発明の使用補助具１は、以上のような基本構造を有するものであり、以下、このものの使用状況の一例について説明する。
なお、説明にあたっては、カバー台紙２に伸縮保持体３が掛け留められており、オモテ表紙板２１が不用意に開放しないようにした状態から説明する。また、動作としては、付箋紙Ｐ１にメモ書きした後、これを付箋紙束Ｐからめくり取り、書物やノートに貼り付ける動作として説明する。
【００３１】
（１）カバー台紙が伸縮保持体によって留められている状態
上記のように、当初、カバー台紙２は、伸縮保持体３によって留められた（掛け留めされた）状態であり、これは使用者Ｍが使用補助具１をカバンやポケット等に入れて持ち運ぶときに適した状態である。もちろん、この状態では、オモテ表紙板２１が自由に開くことがなく、また付箋紙束Ｐはオモテ表紙板２１及びウラ表紙板２３（内折板２４）とによって確実に挟持されるため、付箋紙束Ｐが各付箋紙Ｐ１毎にバラバラになってしまうこともなく、また記載面Ｐｍを汚損してしまうこともない。
【００３２】
（２）伸縮保持体の掛け留め解除
このような状態からメモ書きを行うには、まずカバー台紙２にほぼ一周回すように留められている伸縮保持体３をカバー台紙２から外すものであり、これには例えばカバー台紙２に掛け留めされている伸縮保持体３を、使用者Ｍが指などで摘まみ、側方（左右方向）に引っ張り、伸縮保持体３による掛け留めを解除する。これにより伸縮保持体３は、リング状の把持部３１がウラ表紙板２３の外側に突き出し状に位置することになる。
【００３３】
（３）使用補助具の手元保持
その後、この把持部３１内に使用者Ｍが指（筆記具を持たない方の手の指）を通すものであり（図１参照）、これにより使用者Ｍは使用補助具１を手元で確実に保持することができる。
なお、ここでは伸縮保持体３の掛け留め解除動作と、使用者Ｍが把持部３１に手（指）を通す動作とを別の動作として説明したが、当該解除動作を行う際、使用者Ｍが例えば使用補助具１を掌に載せ、このカバー台紙２を親指で押さえながら、伸縮保持体３の掛け留め解除動作を行うと、カバー台紙２から外した伸縮保持体３（把持部３１）が自然に、指に掛け回され（把持部３１の内側に指が入り込むようになり）、当該解除動作と把持部３１に指を通す動作とが一挙に行えるものである。
【００３４】
（４）オモテ表紙板の開放
その後、オモテ表紙板２１を立ち上げるように開放させ、メモ書きできるようにする。この際、オモテ表紙板２１の立ち上げ開放は、使用者Ｍが筆記具を持つ方の手（いわゆる利き手）で行うこともできるが、使用補助具１を載せた手の親指だけでオモテ表紙板２１を押し上げるようにして行うことも可能である。
【００３５】
（５）筆記具によるメモ書き
次いで、使用者Ｍは、胸ポケット等に差し止めておいたペン等の筆記具を取り出して、付箋紙束Ｐの最上位に位置する付箋紙Ｐ１（記載面Ｐｍ）にメモ書きを行う。
なお、例えば付箋紙Ｐ１を主にインデックスとして書物等の貼付対象に貼り付ける場合には、付箋紙Ｐ１に特にメモ書きは行わないため、当該作業は省略される。
【００３６】
（６）メモ書きした付箋紙のめくり取り
このようにしてメモ書きを終了したら、メモ書き後の付箋紙Ｐ１を一枚だけ付箋紙束Ｐからめくり取り、書物やノート等の目的の貼付対象に貼り付けるものである。
なお、付箋紙Ｐ１を付箋紙束Ｐからめくり取るにあたっては、上述したように例えば図３（ａ）に示すような剥がし方、すなわち付箋紙Ｐ１の裏側に付着形成された糊付け部Ｐｎを、その短手方向から徐々に剥がして行くことが好ましい。これは、このようにしてめくり取った付箋紙Ｐ１は、図３（ａ）に併せて示すように、ほぼ糊付け部Ｐｎにおいて最後に付箋紙束Ｐから剥がれた部位のカールで済むためである。
【００３７】
一方、付箋紙Ｐ１をめくり取る他の手法として、例えば図３（ｂ）に示すように、糊付け部Ｐｎを全体的に剥がして行くようなめくり方（言わば糊付け部Ｐｎの長手方向から一挙に剥がして行くめくり方）も考えられるが、この場合には図３（ｂ）に併せて示すように、めくり取った付箋紙Ｐ１は、糊付け部Ｐｎが全体的にカールしたようになり、この状態では、この付箋紙Ｐ１を書物等の貼付対象に貼る作業が行い難くなる。もちろん、このようなめくり方では、カール部分が広範囲に及ぶため、カールした糊付け部Ｐｎにゴミや異物が付着し易く、これが貼着性の低下・劣化を早めることにもつながり、貼付対象に張り付けても、直ぐに剥がれてしまうことが考えられる。
【００３８】
なお、上記図３（ａ）のようなめくり方、すなわち部分的なカールで済むめくり方を行うには、本図に併せ示すようにオモテ表紙板２１をやや立ち上げて付箋紙Ｐ１をめくり取ることが好ましく、これは立ち上げたオモテ表紙板２１によって、上記図３（ｂ）のようなめくり方、すなわち糊付け部Ｐｎの長手方向から一挙に剥がして行くめくり方が行い難くなるためである。そして、本発明の使用補助具１では、付箋紙Ｐ１を付箋紙束Ｐからめくり取る際には、例えば使用者Ｍが親指・人差指等でオモテ表紙板２１をやや立ち上げた姿勢に保持する等（図１参照）、言わば自然にオモテ表紙板２１を上記立ち上げ姿勢にすることから、付箋紙Ｐ１のめくり取り方としても、自ずと上記図３（ａ）のようなめくり方となる。すなわち、本発明の使用補助具１では、図３（ａ）のめくり方が採り易い構造（態様）となっている。
また、本発明の使用補助具１では、伸縮保持体３を具え、更には背表紙板２２も付箋紙束Ｐから離れるため、これらのことも付箋紙Ｐ１をめくり取る動作を行い易くするものである。
もちろん、付箋紙Ｐ１によっては、糊付け部Ｐｎの形状、より詳細には粘着層の平面視形状が、正方形もしくは円形である場合も考えられ、そのような場合には、図３（ａ）・（ｂ）に示すどちらの方法でめくり取っても、同じ程度のカールとなり、どちらのめくり方でも構わない。
【００３９】
（７）付箋紙の貼り付け
その後、付箋紙束Ｐからめくり取った付箋紙Ｐ１を目的の貼付対象に貼る。
因みに、付箋紙Ｐ１の貼り付け方としては、種々想定され、必ずしも書物等の貼付対象を閉じた状態で、付箋紙Ｐ１の一部が露出するような貼り方に限定されるものではない。すなわち、書物等の貼付対象を開いたときに、始めて張り付けた付箋紙Ｐ１が視覚に入るような貼り付け方も考えられる。具体的には、例えば付箋紙Ｐ１自体が透明である場合には、書物などに印刷されている字の上に貼っても、その文字（情報）は隠れないため（透けて見えるため）、スケジュール帳などでは、その文字（情報）を強調するために付箋紙Ｐ１を貼ること等が想定される。
【００４０】
（８）筆記具・使用補助具の片付け
その後、使用した筆記具や使用補助具１を片付ける。この際、筆記具は、例えばメモ書き後またはメモ書きした付箋紙Ｐ１の貼り付け後に、例えば使用者Ｍの胸ポケット等に差し止める。
また使用補助具１については、カバー台紙２のオモテ表紙板２１を閉鎖し、使用者Ｍの手（指）に嵌められていた伸縮保持体３（把持部３１）を、別の手の指で引っ張りながら、閉じた状態のカバー台紙２に掛け回し、このものを伸縮保持体３で留めるようにする（図２（ｅ）参照）。このようにした後、使用者Ｍは、使用補助具１をポケットや鞄などに入れ、運搬や収容に供するものである。
なお、上記（７）と（８）の作業は、必ずしもこの順番で行う必要はなく、状況等に応じて逆の順序で行うことが可能である。
【００４１】
〔他の実施例〕
本発明は以上述べた実施例を一つの基本的な技術思想とするものであるが、更に次のような改変が考えられる。
まず、上述した基本の実施例では、伸縮保持体３の結び目ｋに起因して生じる凹凸（高低差）を少しでも抑えるために折込翼板２５を設けたが、内折板２４だけでこの凹凸を抑えることができる場合（メモ書きに特に支障が生じない場合）には、折込翼板２５を設けないことも可能である。
【００４２】
更には、例えば図４に示すように、ウラ表紙板２３の外側に、伸縮保持体３の両端部を溶着や接着などで接合する場合には、ウラ表紙板２３の内側に結び目ｋが出現しないため、折込翼板２５だけでなく内折板２４も省略することができる。もちろん、この場合、ウラ表紙板２３に形成していた通孔ｈも不要となる。なお、折込翼板２５や内折板２４あるいは通孔ｈの省略は、各々、単独で採り得る構造（改変例）である。
【００４３】
また、カバー台紙２を、厚い板紙や合成樹脂製の板材で形成した場合には、一例として図４の部分拡大図に示すように、折り込み線が特に膨出し易く、平滑性が低下する。またオモテ表紙板２１は、使用に伴い、繰り返し折り曲げられるため、折り込み線の膨出もその都度出現する。
ここで当該折り込み線の膨出は、例えばウラ表紙板２３において、付箋紙束Ｐを取り付ける設置面側に当たる。このため上記図４のように、内折板２４を省略した場合には、部分拡大図に示すように、付箋紙束Ｐが折り込み線に掛からないように、両者の間に適宜の隙間を設けるものであり、これにより折り込み線が膨出しても、ウラ表紙板２３において付箋紙束Ｐを取り付ける設置領域の平滑性は確保することができる。このようにすることで、例えばウラ表紙板２３に取り付けた（貼り付けた）付箋紙束Ｐが、使用中に剥がれ落ちてしまうこと等を防止できる。また、ウラ表紙板２３における設置領域の平滑性が確保されれば、一旦取り付けた付箋紙束Ｐを使い切った後でも、使用者Ｍが新たな付箋紙束Ｐを確実に貼り付けることができ、使用補助具１を繰り返し使用することができる。
因みに、上記基本の実施例のように内折板２４を設け、ここに付箋紙束Ｐを取り付けた場合には、ウラ表紙板２３における折り込み線の膨出（ウラ表紙板２３の平滑性）は何も考慮する必要がなく、一旦取り付けた付箋紙束Ｐの継続使用や、使用補助具１の繰り返し使用がより確実に且つ継続して行えるものである。
【００４４】
また、図示は省略するが、背表紙板２２を省略することも可能であり、この場合にはオモテ表紙板２１とウラ表紙板２３とが直接連続するように接続される。また、これは例えば付箋紙Ｐ１が二、三枚程度であり、付箋紙束Ｐの厚み寸法として全体的に薄く、オモテ表紙板２１とウラ表紙板２３とで挟持しても付箋紙束Ｐ（付箋紙Ｐ１）が充分に保護・保持できる場合に採り得る改変例である。
因みに、背表紙板２２を省略した場合には、オモテ表紙板２１は、ウラ表紙板２３の上方に重ね合わせるように折り重ねられ、これらの間に付箋紙束Ｐが保持される構成となる。
【００４５】
また、上述した基本の実施例では、カバー台紙２によって保持される付箋紙束Ｐ（付箋紙Ｐ１）は、一種類のサイズ（内折板２４とほぼ同じ平面形状）として図示したが、付箋紙束Ｐは数種類のものでも構わない。具体的には、例えば図５（ａ）に示すように、付箋紙Ｐ１のサイズが異なる複数種の付箋紙束Ｐを収容することも可能であるし、他にも例えば図５（ｂ）に示すように、付箋紙Ｐ１の大きさとしては同じサイズでありながら色違いや罫線アリ・ナシ等の仕様違いの付箋紙束Ｐを複数種、収容することも可能である。
【００４６】
また、上述した基本の実施例では、付箋紙束Ｐの糊付け部Ｐｎは、オモテ表紙板２１の折り込み線に沿って、背表紙板２２の近傍に設けていたが、必ずしもこれに限定されるものではない。具体的には、例えば図５（ｃ）に示すように、付箋紙束Ｐの糊付け部Ｐｎを、オモテ表紙板２１の折り込み線（背表紙板２２）に対し、直交状態に位置させることも可能である。もちろん、糊付け部Ｐｎは他の部位に位置させることも可能である。
【００４７】
また、上述した基本の実施例では、伸縮保持体３は、オモテ表紙板２１の開閉方向を縦とした場合、これに沿う縦方向で、且つウラ表紙板２３の中央部に一本設けたが、必ずしもこれに限定されるものではない。具体的には、例えば図６（ａ）に示すように、ウラ表紙板２３のほぼ対角線上に設けることが可能である。この場合、伸縮保持体３の設置角度は、把持部３１を有する伸縮保持体３に対し、使用者Ｍが手（指）を嵌め入れ易い角度等を考慮して設定される。これにより、使用者Ｍによる使用補助具１の手元保持がより確実に行え、また使用者Ｍは、より楽な姿勢でメモ書きが行い得るものである。
また、伸縮保持体３は、必ずしも一本の部材で形成する必要はなく、例えば図６（ｂ）に示すように、２本以上の複数本で形成しても構わないし、伸縮保持体３そのものを幅広状の部材（いわゆるゴムバンド等）で構成することも可能である。
【符号の説明】
【００４８】
１        使用補助具（付箋紙等の使用補助具）
２        カバー台紙
３        伸縮保持体
２        カバー台紙
２１      オモテ表紙板
２２      背表紙板
２３      ウラ表紙板
ｈ        通孔
２４      内折板
２５      折込翼板
３        伸縮保持体
３１      把持部
ｋ        結び目
Ｐ        付箋紙束（紙葉束）
Ｐ１      付箋紙（紙葉）
Ｐｍ      記載面
Ｐｎ      糊付け部（非転移性の粘着層）
Ｍ        使用者
【図１】
2019130769.tif 000003
【図２】
2019130769.tif 000004
【図３】
2019130769.tif 000005
【図４】
2019130769.tif 000006
【図５】
2019130769.tif 000007
【図６】
2019130769.tif 000008
【手続補正書】
【提出日】平成31年1月7日(2019.1.7)
【手続補正１】
【補正対象書類名】明細書
【補正対象項目名】全文
【補正方法】変更
【補正の内容】
【発明の詳細な説明】
【技術分野】
【０００１】
本発明は、例えば付箋紙やメモ束のように積層状態で市販されることが多い紙葉束を確実に保持することができ、しかもシンプルな構造のもとに低コストで製作できるようにした新規な使用補助具に関するものである。
【背景技術】
【０００２】
従来より、メモ用紙あるいは各種のインデックス用紙として付箋紙が利用されている。この付箋紙は、紙葉裏側の一端縁に非転移性の粘着層（糊付け部）が形成され、この粘着層を利用して多数枚を重ねた積層状態で市販されることが多い。また、この非転移性の粘着層によって貼り付けと剥がしとが繰り返し行える構成となっている。ただし、このような貼り付けと剥がしを何回も行っていると、その使用や時間の経過等に伴い、粘着層の性能が劣化してしまい、一旦、貼付対象に貼った付箋紙が剥がれてしまったり、各付箋紙がバラバラになることがあった。
このようなことから、この種の付箋紙束の収容具等に関しては、各付箋紙がバラバラにならないように保持するケースや、付箋紙束を手軽に持ち運びできるようにしたケース、あるいはボックスティッシュのように一枚ずつ確実に取り出すことができるようにしたポップアップタイプのケース等の開発が既に提案されている（例えば特許文献１、２参照）。
【０００３】
しかしながら、このようなケースを例えば合成樹脂素材で形成した場合には、ケース自体の耐久性は確保でき、付箋紙束の保持も確実に行えるものの、製造コストとしては上昇することは免れなかった。また、ケースを紙素材で形成する場合でも複雑な折り込み等が必要となることが多く、製造（製作）にコストと手間が掛かるものが多かった。
【０００４】
加えて、付箋紙のめくり取り方（付箋紙の取り扱い）に関する不具合について付言すると、この種の付箋紙は、一枚ずつ剥がし取る際に（めくり取る際に）、その操作方向によっては糊付け部が、大きくカールする傾向を生じ、このことが貼付状態を不安定にするという問題もある。
具体的には、例えば図３（ｂ）に示すように、糊付け部Ｐｎの長手方向に対し直角にめくり上げるようにすると（後述する「糊付け部の長手方向から一挙に剥がして行くめくり方」）、剥がした付箋紙Ｐ１は、長手方向を軸に全体的にカールするようになり、これを貼付対象に貼り付けた場合、糊付け部Ｐｎ（特に端部）が浮き上がる状態を呈し、安定した貼付状態が得にくくなる。
【０００５】
一方、例えば図３（ａ）に示すように、糊付け部Ｐｎの長手方向に沿うようにめくり上げると（後述する「糊付け部の短手方向から徐々に剥がして行くめくり方」）、剥がした付箋紙Ｐ１は、糊付け部Ｐｎのカール現象（傾向）が少なくなり、部分的なカールで済む。そのため、これを貼付対象に貼り付けた場合には、安定した貼付状態が得られる。
このようなことを考慮すると、付箋紙束Ｐから一枚ずつ付箋紙Ｐ１を剥がすにあたって、自然に、糊付け部Ｐｎの短手方向から徐々に剥がして行くめくり方となるような（なり易いような）手法の開発が望まれるが、現在のところ、このようなケースは存在しない。
【先行技術文献】
【特許文献】
【０００６】
【特許文献１】特開２０１７−１３７１２３号公報
【特許文献２】特開平８−１９２８７６号公報
【発明の概要】
【発明が解決しようとする課題】
【０００７】
本発明は、このような背景を認識してなされたものであって、極めてシンプルな構造のもと付箋紙束やメモ束等の紙葉束を確実に保持した状態で運搬・収容できるようにしながら、メモ書き時には手軽にその動作が行え、更には付箋紙を剥がすにあたっては自然に、糊付け部の短手方向から徐々に剥がして行くめくり方となり、なお且つ低コストで製作できるようにした新規な付箋紙束等の使用補助具の開発を試みたものである。
【課題を解決するための手段】
【０００８】
すなわち請求項１記載の、付箋紙束等の使用補助具は、
オモテ表紙板とウラ表紙板とが直接または間接的に連続するように接続され、ウラ表紙板に対しオモテ表紙板が折り曲げ自在に構成されるカバー台紙と、
ウラ表紙板の外側に、リング状の把持部を突き出し状に設けた伸縮保持体とを具え、
且つ前記ウラ表紙板には、接続状態でオモテ表紙板に対向する側に、内折板が更に連続するように接続され、
これらの折り込みにあたっては、まず内折板をウラ表紙板の上側に重ね合わせるように折り重ねた後、次いでオモテ表紙板を、当該内折板の上側に重ね合わせるように折り重ねた状態にするものであり、
なお且つ前記内折板とオモテ表紙板との間に、付箋紙束やメモ束等の紙葉束が保持される構成であることを特徴として成るものである。
ここでウラ表紙板の外側について説明すると、オモテ表紙板とウラ表紙板との折り曲げ方向を内側とし、その反対側が外側（ウラ表紙板の外側）である。
【０００９】
また請求項２記載の、付箋紙束等の使用補助具は、前記請求項１記載の要件に加え、
前記ウラ表紙板は、接続状態でオモテ表紙板の接続方向に対し交差する左右方向に、折込翼板が接続され、
この折込翼板は、紙葉束の下側に折り込まれる構成であることを特徴として成るものである。
【００１０】
また請求項３記載の、付箋紙束等の使用補助具は、前記請求項１または２記載の要件に加え、
前記オモテ表紙板とウラ表紙板との間には、紙葉束の厚み寸法に相当する背表紙板が設けられ、オモテ表紙板と背表紙板とウラ表紙板とが直列状に接続されて成ることを特徴として成るものである。
ここで、請求項１に記載した「オモテ表紙板とウラ表紙板とが間接的に連続する」とは、上記背表紙板を介在させた場合を指すものである。
【発明の効果】
【００１１】
これら各請求項記載の発明の構成を手段として前記課題の解決が図られる。
すなわち、請求項１記載の発明によれば、付箋紙束をオモテ表紙板とウラ表紙板とを具えるカバー台紙の間に挟んで保持する構造であるため、使用補助具の構造が極めてシンプルであり、使用補助具を低コストで製作することができる。
またウラ表紙板には伸縮保持体が設けられるため、使用者がポケットや鞄に入れて運搬・収容する際には、この伸縮保持体を、付箋紙束を挟持したカバー台紙に掛け止めすることで、この保持状態を確実に維持することができ、付箋紙の記載面を汚すこともないし（付箋紙が露出してしまうこともなく）、付箋紙がバラバラになることも防止できる。
更にまた、メモ書き時には、カバー台紙に掛け止められていた伸縮保持体を外して把持部を形成し、ここに使用者が筆記具を持たない方の手（指）を入れた状態とすることで、カバー台紙（使用補助具）の手元保持が確実となり、メモ書きし易い状態が得られる。つまり、伸縮保持体は、メモ書き時でも、運搬・収容時である非使用時でも機能し、合理的な構造が採り得る。
更にまた、伸縮保持体が設けられるため、付箋紙を一枚ずつ剥がすにあたっては自然に、糊付け部の短手方向から徐々に剥がして行くめくり方となる（なり易い）。このため剥がした付箋紙を貼付対象に貼り付けた場合、良好な貼付状態が得られる。
また、本発明によれば、ウラ表紙板の外側に伸縮保持体を設けるにあたり、ウラ表紙板に二箇所の通孔を形成し、ここに伸縮保持体の端部を通した後、この端部に結び目を形成して伸縮保持体を止めるようにした場合、内折板を設けることで、この結び目の凹凸を抑えることができ（結び目の上に平面を形成することができ）、メモ書きし易い下地を形成することができる。
また、内折板を設けることで、付箋紙束は、一枚のオモテ表紙板と二枚の板材（ウラ表紙板と内折板）で挟持されることになり、カバー台紙全体の剛性向上や強度アップが図れる。
【００１２】
また、請求項２記載の発明によれば、ウラ表紙板の外側に伸縮保持体を設けるにあたり、ウラ表紙板に二箇所の通孔を形成し、ここに伸縮保持体の端部を通した後、この端部に結び目を形成して伸縮保持体を止めるようにした場合、折込翼板をこの結び目に掛からないように折り込むことで、この結び目による凹凸（高低差）を一層抑えることができ、メモ書きし易い下地を、より形成することができる。
【００１３】
また、請求項３記載の発明によれば、紙葉束の厚み分に相当する背表紙板を更に設けるため、紙葉束（厚みを考慮すべき紙葉束）の厚みを確実に保護でき、紙葉束を立体的に保持することができる。
ここで上記「厚みを考慮すべき」について説明する。まず、厚みを考慮しなくてもよい場合とは、紙葉が数枚程度（例えば二、三枚程度）で、背表紙板を設けなくても、充分、紙葉（紙葉束）の保護ができるものを指し、言わば平面的保持で支障がない場合が該当する。これに対し、厚みを考慮すべき場合とは、一般に市販されている付箋紙束（紙葉束）のように、充分な厚みがあり、背表紙板を設けて立体的に保持するのが好ましい場合（立体的保持が好ましい場合）が該当する。
【図面の簡単な説明】
【００１４】
【図１】本発明の使用補助具（付箋紙束等の使用補助具）において、付箋紙束のメモ書き時の状態と運搬・収容状態とを併せて示す斜視図である。
【図２】一枚の板材から形成した使用補助具の平面展開形状（折り込み前の初期状態）の一例を示す斜視図（ａ）、並びにこの展開形状の各部を折り畳んで立体的な使用補助具を形成して行く様子を段階的に示す斜視図（ｂ）〜（ｅ）である。
【図３】付箋紙をめくり取る際の二種の手法について示す説明図である。
【図４】内折板や折込翼板を省略した使用補助具の参考例（本発明に関連する参考例）を示す斜視図である。
【図５】カバー台紙に保持される付箋紙束の改変例を種々示す斜視図である。
【図６】ウラ表紙板の外側に突き出し状に設けられる伸縮保持体の改変例を二種示す説明図である。
【発明を実施するための形態】
【００１５】
本発明を実施するための最良の形態は、以下の実施例に述べるものをその一つとするとともに、更にその技術思想内において改良し得る種々の手法をも含むものである。
【実施例】
【００１６】
まず、本発明の、付箋紙束等の使用補助具１（以下、単に使用補助具１とする）の説明に先立ち、複数枚の付箋紙Ｐ１が積層状態に設けられた付箋紙束Ｐから説明する。
付箋紙束Ｐは、一例として図１に示すように、使用補助具１によって保持・保護されるものであるが、保持対象物（収容対象物）としてはこれ以外にも積層状態に形成された束状のメモ（これをメモ束と称する）も想定される。このように、本発明の保持対象物としては、付箋紙束Ｐの他、メモ束も想定できるため、一枚ずつの付箋紙Ｐ１やメモ用紙を総じてを紙葉とし、また積層状態の付箋紙束Ｐやメモ束を総じて紙葉束と称することがある。なお符号は、紙葉には付箋紙と同じ符号Ｐ１を付し、紙葉束には付箋紙束と同じ符号Ｐを共通的に付すものである。
【００１７】
そして、一枚ずつの付箋紙（紙葉）Ｐ１は、矩形状すなわち長方形状または正方形状の紙片として形成されることが多い。
また付箋紙Ｐ１の上面は、メモ書き等に適した記載面Ｐｍとして構成され、その裏面の一端縁に非転移性の粘着層たる糊付け部Ｐｎが形成される。このように糊付け部Ｐｎは、記載面Ｐｍの裏面全体に形成されるものではなく、通常は、一端に寄った縁部（端縁部）に形成され、糊付け部Ｐｎの形成形状は、長方形状に形成されることが多い。
また、付箋紙Ｐ１は、このような糊付け部Ｐｎによって、複数枚が重ねられた積層状態（付箋紙束Ｐ）となって市販されるのが一般的である。なお、本実施例では、積層された付箋紙束Ｐで視た場合、糊付け部Ｐｎが一方の端縁（後述する背表紙板２２の近傍）に寄って形成された構造のものを例示する（いわゆる非ポップアップ式）。
【００１８】
また、糊付け部Ｐｎが非転移性の粘着層であるために、紙葉束Ｐから一枚ずつめくり取った紙葉Ｐ１は、書物等への貼り付けと剥がしが繰り返し行える構造となっている。
更に、このような紙葉束Ｐは、使用者Ｍ自身が新たな紙葉束Ｐに入れ換えたり、補充したりすることができるものである。
因みに、付箋紙（紙葉）Ｐ１には、「紙」という語句を使用したが、これは必ずしも素材として紙製のものに限定されるという意味ではなく、例えば合成樹脂素材等で付箋紙（紙葉）Ｐ１を形成することも可能であり、このような紙以外の素材で形成された場合も付箋紙（紙葉）Ｐ１と称する（付箋紙（紙葉）Ｐ１に含まれる）。
【００１９】
次に、使用補助具１について説明する。
使用補助具１は、一例として図１・図２（ａ）に示すように、オモテ表紙板２１と、背表紙板２２と、ウラ表紙板２３とを直列状に接続して成るカバー台紙２を主要部材とする。
このカバー台紙２は、オモテ表紙板２１がウラ表紙板２３に対し折り曲げ自在に構成され、付箋紙束Ｐを折り曲げたカバー台紙２の内側、すなわち折り畳み状態のオモテ表紙板２１とウラ表紙板２３との間に収容して、保持するように構成される。
ここでオモテ表紙板２１とウラ表紙板２３は、この間に挟持する付箋紙Ｐ１よりも一回り大きいサイズに形成されることが好ましく、これにより挟持状態での付箋紙Ｐ１の保護が確実に行え、付箋紙Ｐ１への損傷を確実に防ぐことができる。
また、背表紙板２２は、オモテ表紙板２１をウラ表紙板２３に重ねるように折り畳んだ際に、付箋紙束Ｐの厚み部分を保護するものであり、このため背表紙板２２は、付箋紙束Ｐの厚み寸法に対応した幅寸法に形成される。
なお、カバー台紙２や、これを構成する板材（各表紙板）にも、「紙」という語句を使用したが、ここでも例えば合成樹脂素材等でカバー台紙２を形成することが可能であり、このような紙以外の素材で形成された場合もカバー台紙２や表紙板に含まれる。もちろん、カバー台紙２は、紙素材から成る板材の表面に、適宜合成樹脂素フィルム等を貼り合わせて形成しても構わないものである（いわゆるラミネート加工）。
【００２０】
また、本発明では、一例として図２（ａ）に示すように、カバー台紙２の各部位を折り込む前の平面展開形状（始発状態）で、ウラ表紙板２３の延長方向に（背表紙板２２の対向側に）内折板２４が更に接続される。すなわちウラ表紙板２３には、オモテ表紙板２１の対向側に、更に内折板２４が連続するように接続される。そして、この内折板２４に付箋紙束（紙葉束）Ｐが糊付け部Ｐｎの粘着層を利用して取り付けられる。なお、付箋紙束Ｐは、内折板２４の折り込み方向の反対側から取り付けられる。
また、内折板２４は、付箋紙束Ｐの平面投影形状とほぼ同じ大きさ、または付箋紙束Ｐの平面投影形状よりも幾らか大きく形成される（ここではオモテ表紙板２１やウラ表紙板２３よりも小さく形成される）。また、各部位の折り込み線は、当然ながら内折板２４に取り付けた付箋紙束Ｐに掛からないように構成され、これにより付箋紙束Ｐの安定的な保持を可能としている。
【００２１】
また、ウラ表紙板２３には、上記図２（ａ）に示すように、折り込み前の平面展開形状で、内折板２４や背表紙板２２の接続方向に対し交差（直交）する左右方向に、折込翼板２５が接続される。
これにより本実施例では、始発状態のカバー台紙２は、全体として「十字」状を成すような平面展開形状に形成される。
なお、図２（ａ）においてカバー台紙２の展開図中に引いた二点鎖線は、各部位の折り込み線を示している。
【００２２】
また、ウラ表紙板２３の外側（折り曲げ自在のカバー台紙２の外側）には、ゴム紐等の伸縮保持体３が突き出し状に設けられ、この伸縮保持体３は、ウラ表紙板２３の外側でリング状を成すように設けられる。
伸縮保持体３は、使用補助具１の非使用時（例えば運搬・収容時）には、このものの伸縮性を利用して輪ゴムのように伸縮保持体３をカバー台紙２に掛け止めして、オモテ表紙板２１の開放を防止する。
一方、使用時（メモ書き時）には、この状態の伸縮保持体３を指などで引っ張って伸長させて、カバー台紙２から外すものであり、外した伸縮保持体３は、ウラ表紙板２３の外側でリング状を成し、この内側に使用者Ｍが筆記具を持たない方の手を差し込むことで、カバー台紙２（使用補助具１）を安定して使用者Ｍの手元に保持することができる。ここで伸縮保持体３が、ウラ表紙板２３の外側においてリング状を成す突き出し状部位を把持部３１とする。
【００２３】
また、伸縮保持体３をウラ表紙板２３に固定するにあたっては、ここではウラ表紙板２３に伸縮保持体３を通す孔を二箇所開口しておき（これを通孔ｈとする）、ここに伸縮保持体３の両端部を外側から通した後、その端部を結んでウラ表紙板２３に固定する（図中符号ｋがこの結び目）。もちろん、このような固定手法に限定されるものではなく、例えばウラ表紙板２３の外側（裏面）に、伸縮保持体３の両端部を溶着や接着等によって固定することも可能であり（図４参照）、この場合には、ウラ表紙板２３に通孔ｈを形成する必要もない。
なお、図示した実施例では、伸縮保持体３は、細長い紐状の伸縮体（例えばゴム紐）として図示しているが、伸縮保持体３としては、断面が幾らか偏平状の伸縮部材である、いわゆるゴムバンド等を適用することもできる。
【００２４】
以下、上記のような平面展開形状を有するカバー台紙２の折り込み方について説明する。
なお、上述したように、付箋紙束Ｐは、この平面展開形状の状態で、カバー台紙２（内折板２４）に取り付けることが可能である。
折り込み方としては、まず図２の（ａ）から（ｂ）に示すように、折込翼板２５をカバー台紙２の内側、すなわち伸縮保持体３の結び目ｋ側（ウラ表紙板２３の通孔ｈを貫通した後、結ばれた結び目ｋ側）に折り込む。なお、折込翼板２５は、折り込み状態で結び目ｋに重ならないように、その大きさが予め設定される。このため、折込翼板２５は、図２（ｂ）に示すように、結び目ｋの左右両側に位置するように折り畳まれ、これによって結び目ｋにより生じる凹凸（高低差）が抑えられる。すなわち、折り込み状態の折込翼板２５の上方には、その後、内折板２４（紙葉束Ｐが設けられた）が重なるように折り込まれ、メモ書き時には、上記凹凸があるとメモ書きが行い難いため、このような結び目ｋによる凹凸（高低差）を、折込翼板２５を折り込むことで抑えるものである。
なお、通常は、折込翼板２５の板厚よりも、結び目ｋの突出度合いの方が大きいものである。また伸縮保持体３の端部に結び目ｋを形成する場合には、結びが解けないように結び目ｋから端部側に、伸縮保持体３を所要の長さ繰り出す必要がある。このように、通常は、折込翼板２５の板厚よりも、結び目ｋによって形成される突出の方が大きいが、結び目ｋの左右に折込翼板２５を位置させることで、少しでもメモ書き時の下地凹凸（高低差）を抑え、使用者Ｍの使い勝手（書き心地）を向上させるものである。
【００２５】
次いで、図２の（ｂ）から（ｃ）に示すように、付箋紙束Ｐを具えた内折板２４を、上記折込翼板２５の上側に重ねるように折り重ねる。これにより伸縮保持体３の結び目ｋの上に平滑面となる内折板２４が位置することになり、メモ書きする際の下地凹凸がより一層、整えられる。
このように内折板２４や折込翼板２５を設けることによって、メモ書きに適した平滑面がより形成し易くなり、メモ書き時のスムーズな記載を促進させ得るものである。もちろん、内折板２４は、カバー台紙２全体の剛性向上や強度アップに寄与するものである。
なお、本実施例では図２（ａ）の段階、すなわちカバー台紙２の各部位を折り込む前の始発状態で、付箋紙束Ｐを内折板２４に取り付けるように説明したが、この図２（ｃ）の段階で付箋紙束Ｐを取り付けることも可能である。また図２（ｃ）の段階で付箋紙束Ｐを取り付ける場合には、折り込んだ内折板２４の上面に、付箋紙束Ｐの糊付け部Ｐｎを合わせるように取り付けるものである。
【００２６】
その後、図２の（ｃ）から（ｄ）に示すように、オモテ表紙板２１を、上記付箋紙束Ｐの上側に重ねるように折り重ねる。
この図２（ｄ）の状態で、付箋紙束Ｐは、これよりも一回り大きいサイズのオモテ表紙板２１及びウラ表紙板２３（内折板２４）とに挟まれた状態となり、しかも付箋紙束Ｐの厚みは、ウラ表紙板２３に対して立ち上げ状に折り曲げられた背表紙板２２によって保護されるため、付箋紙束Ｐは結果的に書物のように立体的に保持された状態となる。また、このため当該状態では、付箋紙束Ｐ、特に最上面に位置する付箋紙Ｐ１（記載面Ｐｍ）の汚損が高レベルで防止される。
【００２７】
次いで、図２（ｅ）に示すように、ウラ表紙板２３の外側に突き出し状に設けられている伸縮保持体３（リング状の把持部３１）を、使用者Ｍが指などに引っ掛けて、付箋紙束Ｐを保持したカバー台紙２に掛け、伸縮保持体３で留めるようにする。なお、この動作は、輪ゴムで留めるときの動作に極めて酷似した動作となる。
また、この図２（ｅ）の状態は、例えば使用者Ｍが使用補助具１をポケットや鞄等に入れて運搬・収容するときの状態であり、この状態では、オモテ表紙板２１が不用意に開くことがなく、また各付箋紙Ｐ１が一枚ずつバラバラになることも確実に防止できる。
因みに、図２（ｅ）では、使用者Ｍが親指と小指以外の三本の指を使って、伸縮保持体３をカバー台紙２に掛け留めるように図示したが、指の数やどの指を利用するかは使用者Ｍによって異なるものである。また場合によっては、使用者Ｍが手にしている筆記具で、このような掛け留めを行うことも考えられる。
【００２８】
本発明の使用補助具１は、以上のような基本構造を有するものであり、以下、このものの使用状況の一例について説明する。
なお、説明にあたっては、カバー台紙２に伸縮保持体３が掛け留められており、オモテ表紙板２１が不用意に開放しないようにした状態から説明する。また、動作としては、付箋紙Ｐ１にメモ書きした後、これを付箋紙束Ｐからめくり取り、書物やノートに貼り付ける動作として説明する。
【００２９】
（１）カバー台紙が伸縮保持体によって留められている状態
上記のように、当初、カバー台紙２は、伸縮保持体３によって留められた（掛け留めされた）状態であり、これは使用者Ｍが使用補助具１をカバンやポケット等に入れて持ち運ぶときに適した状態である。もちろん、この状態では、オモテ表紙板２１が自由に開くことがなく、また付箋紙束Ｐはオモテ表紙板２１及びウラ表紙板２３（内折板２４）とによって確実に挟持されるため、付箋紙束Ｐが各付箋紙Ｐ１毎にバラバラになってしまうこともなく、また記載面Ｐｍを汚損してしまうこともない。
【００３０】
（２）伸縮保持体の掛け留め解除
このような状態からメモ書きを行うには、まずカバー台紙２にほぼ一周回すように留められている伸縮保持体３をカバー台紙２から外すものであり、これには例えばカバー台紙２に掛け留めされている伸縮保持体３を、使用者Ｍが指などで摘まみ、側方（左右方向）に引っ張り、伸縮保持体３による掛け留めを解除する。これにより伸縮保持体３は、リング状の把持部３１がウラ表紙板２３の外側に突き出し状に位置することになる。
【００３１】
（３）使用補助具の手元保持
その後、この把持部３１内に使用者Ｍが指（筆記具を持たない方の手の指）を通すものであり（図１参照）、これにより使用者Ｍは使用補助具１を手元で確実に保持することができる。
なお、ここでは伸縮保持体３の掛け留め解除動作と、使用者Ｍが把持部３１に手（指）を通す動作とを別の動作として説明したが、当該解除動作を行う際、使用者Ｍが例えば使用補助具１を掌に載せ、このカバー台紙２を親指で押さえながら、伸縮保持体３の掛け留め解除動作を行うと、カバー台紙２から外した伸縮保持体３（把持部３１）が自然に、指に掛け回され（把持部３１の内側に指が入り込むようになり）、当該解除動作と把持部３１に指を通す動作とが一挙に行えるものである。
【００３２】
（４）オモテ表紙板の開放
その後、オモテ表紙板２１を立ち上げるように開放させ、メモ書きできるようにする。この際、オモテ表紙板２１の立ち上げ開放は、使用者Ｍが筆記具を持つ方の手（いわゆる利き手）で行うこともできるが、使用補助具１を載せた手の親指だけでオモテ表紙板２１を押し上げるようにして行うことも可能である。
【００３３】
（５）筆記具によるメモ書き
次いで、使用者Ｍは、胸ポケット等に差し止めておいたペン等の筆記具を取り出して、付箋紙束Ｐの最上位に位置する付箋紙Ｐ１（記載面Ｐｍ）にメモ書きを行う。
なお、例えば付箋紙Ｐ１を主にインデックスとして書物等の貼付対象に貼り付ける場合には、付箋紙Ｐ１に特にメモ書きは行わないため、当該作業は省略される。
【００３４】
（６）メモ書きした付箋紙のめくり取り
このようにしてメモ書きを終了したら、メモ書き後の付箋紙Ｐ１を一枚だけ付箋紙束Ｐからめくり取り、書物やノート等の目的の貼付対象に貼り付けるものである。
なお、付箋紙Ｐ１を付箋紙束Ｐからめくり取るにあたっては、上述したように例えば図３（ａ）に示すような剥がし方、すなわち付箋紙Ｐ１の裏側に付着形成された糊付け部Ｐｎを、その短手方向から徐々に剥がして行くことが好ましい。これは、このようにしてめくり取った付箋紙Ｐ１は、図３（ａ）に併せて示すように、ほぼ糊付け部Ｐｎにおいて最後に付箋紙束Ｐから剥がれた部位のカールで済むためである。
【００３５】
一方、付箋紙Ｐ１をめくり取る他の手法として、例えば図３（ｂ）に示すように、糊付け部Ｐｎを全体的に剥がして行くようなめくり方（言わば糊付け部Ｐｎの長手方向から一挙に剥がして行くめくり方）も考えられるが、この場合には図３（ｂ）に併せて示すように、めくり取った付箋紙Ｐ１は、糊付け部Ｐｎが全体的にカールしたようになり、この状態では、この付箋紙Ｐ１を書物等の貼付対象に貼る作業が行い難くなる。もちろん、このようなめくり方では、カール部分が広範囲に及ぶため、カールした糊付け部Ｐｎにゴミや異物が付着し易く、これが貼着性の低下・劣化を早めることにもつながり、貼付対象に張り付けても、直ぐに剥がれてしまうことが考えられる。
【００３６】
なお、上記図３（ａ）のようなめくり方、すなわち部分的なカールで済むめくり方を行うには、本図に併せ示すようにオモテ表紙板２１をやや立ち上げて付箋紙Ｐ１をめくり取ることが好ましく、これは立ち上げたオモテ表紙板２１によって、上記図３（ｂ）のようなめくり方、すなわち糊付け部Ｐｎの長手方向から一挙に剥がして行くめくり方が行い難くなるためである。そして、本発明の使用補助具１では、付箋紙Ｐ１を付箋紙束Ｐからめくり取る際には、例えば使用者Ｍが親指・人差指等でオモテ表紙板２１をやや立ち上げた姿勢に保持する等（図１参照）、言わば自然にオモテ表紙板２１を上記立ち上げ姿勢にすることから、付箋紙Ｐ１のめくり取り方としても、自ずと上記図３（ａ）のようなめくり方となる。すなわち、本発明の使用補助具１では、図３（ａ）のめくり方が採り易い構造（態様）となっている。
また、本発明の使用補助具１では、伸縮保持体３を具え、更には背表紙板２２も付箋紙束Ｐから離れるため、これらのことも付箋紙Ｐ１をめくり取る動作を行い易くするものである。
もちろん、付箋紙Ｐ１によっては、糊付け部Ｐｎの形状、より詳細には粘着層の平面視形状が、正方形もしくは円形である場合も考えられ、そのような場合には、図３（ａ）・（ｂ）に示すどちらの方法でめくり取っても、同じ程度のカールとなり、どちらのめくり方でも構わない。
【００３７】
（７）付箋紙の貼り付け
その後、付箋紙束Ｐからめくり取った付箋紙Ｐ１を目的の貼付対象に貼る。
因みに、付箋紙Ｐ１の貼り付け方としては、種々想定され、必ずしも書物等の貼付対象を閉じた状態で、付箋紙Ｐ１の一部が露出するような貼り方に限定されるものではない。すなわち、書物等の貼付対象を開いたときに、始めて張り付けた付箋紙Ｐ１が視覚に入るような貼り付け方も考えられる。具体的には、例えば付箋紙Ｐ１自体が透明である場合には、書物などに印刷されている字の上に貼っても、その文字（情報）は隠れないため（透けて見えるため）、スケジュール帳などでは、その文字（情報）を強調するために付箋紙Ｐ１を貼ること等が想定される。
【００３８】
（８）筆記具・使用補助具の片付け
その後、使用した筆記具や使用補助具１を片付ける。この際、筆記具は、例えばメモ書き後またはメモ書きした付箋紙Ｐ１の貼り付け後に、例えば使用者Ｍの胸ポケット等に差し止める。
また使用補助具１については、カバー台紙２のオモテ表紙板２１を閉鎖し、使用者Ｍの手（指）に嵌められていた伸縮保持体３（把持部３１）を、別の手の指で引っ張りながら、閉じた状態のカバー台紙２に掛け回し、このものを伸縮保持体３で留めるようにする（図２（ｅ）参照）。このようにした後、使用者Ｍは、使用補助具１をポケットや鞄などに入れ、運搬や収容に供するものである。
なお、上記（７）と（８）の作業は、必ずしもこの順番で行う必要はなく、状況等に応じて逆の順序で行うことが可能である。
【００３９】
〔他の実施例〕
本発明は以上述べた実施例を一つの基本的な技術思想とするものであるが、更に次のような改変が考えられる。
まず、上述した基本の実施例では、伸縮保持体３の結び目ｋに起因して生じる凹凸（高低差）を少しでも抑えるために折込翼板２５を設けたが、内折板２４だけでこの凹凸を抑えることができる場合（メモ書きに特に支障が生じない場合）には、折込翼板２５を設けないことも可能である。
【００４０】
更には、例えば図４に示すように、ウラ表紙板２３の外側に、伸縮保持体３の両端部を溶着や接着などで接合する場合には、ウラ表紙板２３の内側に結び目ｋが出現しないため、折込翼板２５だけでなく内折板２４も省略することができるが、内折板２４を省略する形態は、本発明に関連する参考例である。もちろん、この場合、ウラ表紙板２３に形成していた通孔ｈも不要となる。なお、折込翼板２５あるいは通孔ｈの省略は、各々、単独で採り得る構造（改変例）である。
【００４１】
また、カバー台紙２を、厚い板紙や合成樹脂製の板材で形成した場合には、一例として図４の部分拡大図に示すように、折り込み線が特に膨出し易く、平滑性が低下する。またオモテ表紙板２１は、使用に伴い、繰り返し折り曲げられるため、折り込み線の膨出もその都度出現する。
ここで当該折り込み線の膨出は、例えばウラ表紙板２３において、付箋紙束Ｐを取り付ける設置面側に当たる。このため上記図４のように、内折板２４を省略した場合には、部分拡大図に示すように、付箋紙束Ｐが折り込み線に掛からないように、両者の間に適宜の隙間を設けるものであり、これにより折り込み線が膨出しても、ウラ表紙板２３において付箋紙束Ｐを取り付ける設置領域の平滑性は確保することができる。このようにすることで、例えばウラ表紙板２３に取り付けた（貼り付けた）付箋紙束Ｐが、使用中に剥がれ落ちてしまうこと等を防止できる。また、ウラ表紙板２３における設置領域の平滑性が確保されれば、一旦取り付けた付箋紙束Ｐを使い切った後でも、使用者Ｍが新たな付箋紙束Ｐを確実に貼り付けることができ、使用補助具１を繰り返し使用することができる。ただし、内折板２４を省略する形態は、上述したように本発明に関連した参考例である。
因みに、上記基本の実施例のように内折板２４を設け、ここに付箋紙束Ｐを取り付けた場合には、ウラ表紙板２３における折り込み線の膨出（ウラ表紙板２３の平滑性）は何も考慮する必要がなく、一旦取り付けた付箋紙束Ｐの継続使用や、使用補助具１の繰り返し使用がより確実に且つ継続して行えるものである。
【００４２】
また、図示は省略するが、背表紙板２２を省略することも可能であり、この場合にはオモテ表紙板２１とウラ表紙板２３とが直接連続するように接続される。また、これは例えば付箋紙Ｐ１が二、三枚程度であり、付箋紙束Ｐの厚み寸法として全体的に薄く、オモテ表紙板２１とウラ表紙板２３とで挟持しても付箋紙束Ｐ（付箋紙Ｐ１）が充分に保護・保持できる場合に採り得る改変例である。
因みに、背表紙板２２を省略した場合には、オモテ表紙板２１は、内折板２４の上方に重ね合わせるように折り重ねられ、これらの間に付箋紙束Ｐが保持される構成となる。
【００４３】
また、上述した基本の実施例では、カバー台紙２によって保持される付箋紙束Ｐ（付箋紙Ｐ１）は、一種類のサイズ（内折板２４とほぼ同じ平面形状）として図示したが、付箋紙束Ｐは数種類のものでも構わない。具体的には、例えば図５（ａ）に示すように、付箋紙Ｐ１のサイズが異なる複数種の付箋紙束Ｐを収容することも可能であるし、他にも例えば図５（ｂ）に示すように、付箋紙Ｐ１の大きさとしては同じサイズでありながら色違いや罫線アリ・ナシ等の仕様違いの付箋紙束Ｐを複数種、収容することも可能である。
【００４４】
また、上述した基本の実施例では、付箋紙束Ｐの糊付け部Ｐｎは、オモテ表紙板２１の折り込み線に沿って、背表紙板２２の近傍に設けていたが、必ずしもこれに限定されるものではない。具体的には、例えば図５（ｃ）に示すように、付箋紙束Ｐの糊付け部Ｐｎを、オモテ表紙板２１の折り込み線（背表紙板２２）に対し、直交状態に位置させることも可能である。もちろん、糊付け部Ｐｎは他の部位に位置させることも可能である。
【００４５】
また、上述した基本の実施例では、伸縮保持体３は、オモテ表紙板２１の開閉方向を縦とした場合、これに沿う縦方向で、且つウラ表紙板２３の中央部に一本設けたが、必ずしもこれに限定されるものではない。具体的には、例えば図６（ａ）に示すように、ウラ表紙板２３のほぼ対角線上に設けることが可能である。この場合、伸縮保持体３の設置角度は、把持部３１を有する伸縮保持体３に対し、使用者Ｍが手（指）を嵌め入れ易い角度等を考慮して設定される。これにより、使用者Ｍによる使用補助具１の手元保持がより確実に行え、また使用者Ｍは、より楽な姿勢でメモ書きが行い得るものである。
また、伸縮保持体３は、必ずしも一本の部材で形成する必要はなく、例えば図６（ｂ）に示すように、２本以上の複数本で形成しても構わないし、伸縮保持体３そのものを幅広状の部材（いわゆるゴムバンド等）で構成することも可能である。
【符号の説明】
【００４６】
１          使用補助具（付箋紙等の使用補助具）
２          カバー台紙
３          伸縮保持体
２          カバー台紙
２１        オモテ表紙板
２２        背表紙板
２３        ウラ表紙板
ｈ          通孔
２４        内折板
２５        折込翼板
３          伸縮保持体
３１        把持部
ｋ          結び目
Ｐ          付箋紙束（紙葉束）
Ｐ１        付箋紙（紙葉）
Ｐｍ        記載面
Ｐｎ        糊付け部（非転移性の粘着層）
Ｍ          使用者
【手続補正２】
【補正対象書類名】特許請求の範囲
【補正対象項目名】全文
【補正方法】変更
【補正の内容】
【特許請求の範囲】
【請求項１】
オモテ表紙板とウラ表紙板とが直接または間接的に連続するように接続され、ウラ表紙板に対しオモテ表紙板が折り曲げ自在に構成されるカバー台紙と、
ウラ表紙板の外側に、リング状の把持部を突き出し状に設けた伸縮保持体とを具え、
且つ前記ウラ表紙板には、接続状態でオモテ表紙板に対向する側に、内折板が更に連続するように接続され、
これらの折り込みにあたっては、まず内折板をウラ表紙板の上側に重ね合わせるように折り重ねた後、次いでオモテ表紙板を、当該内折板の上側に重ね合わせるように折り重ねた状態にするものであり、
なお且つ前記内折板とオモテ表紙板との間に、付箋紙束やメモ束等の紙葉束が保持される構成であることを特徴とする付箋紙束等の使用補助具。
【請求項２】
前記ウラ表紙板は、接続状態でオモテ表紙板の接続方向に対し交差する左右方向に、折込翼板が接続され、
この折込翼板は、紙葉束の下側に折り込まれる構成であることを特徴とする請求項１記載の、付箋紙束等の使用補助具。
【請求項３】
前記オモテ表紙板とウラ表紙板との間には、紙葉束の厚み寸法に相当する背表紙板が設けられ、オモテ表紙板と背表紙板とウラ表紙板とが直列状に接続されて成ることを特徴とする請求項１または２記載の、付箋紙束等の使用補助具。